(57)【要約】      （修正有）【課題】主に軽量透明で安価のプラステイック容器を利用した飲料水入りの容器において、それらを机上のカップに移し替えて飲用する場合において突然発生の地震の揺れでもカップの転倒を防ぎ飲料水のこぼれの抑止に対応可能な磁石を備えた容器の構造を提供する。【解決手段】飲用カップ１の製造時に内側底部に磁石３を埋設するか、あるいは底部外側に製造後において磁石を接着したことを特徴とする容器の構造であって、飲用カップ、及び各種素材でなる主に机上装飾及び展示棚装飾へのミニサイズ水槽、立体構造のミサイズ玩具の底部に磁石を内蔵あるいは底の外部に接着して揺れに対する転倒防止あるいはスリップ抑止構造の置物として使用可能である。【選択図】図１
0003189525.tif 000002
【実用新案登録請求の範囲】
【請求項１】
本考案は主に地震の揺れによる容器の倒壊、落下、スリップ防止に対応、あるいは通常時における机上の鉛筆立てほかの容器を安定的に固定化するために磁性を備えた主に鋼、鉄、合金ほかスチール製机（４）の表面上、あるいは化粧天板付きのスチール机上及び陳列棚の表面上に置くカップ、水槽、飲料容器、生け花器、水容器、あるいは鉛筆立て、習字筆立て、画材筆立てなど収納用としてなる容器（１）の底辺台（２）に磁石（３）を埋設あるいは接着したことを特徴とする磁石を備えた容器の構造。
【請求項２】
容器の素材に於いては紙、透明及び半透明でなる瓶、金属、ガラス、アルミ、プラステイック、アクリル、塩ビ、ポリエチレン、ポリスチレン、ポリカーボネイド、スチール、アルミ、ＰＥＴ、合成樹脂で製造されることを特徴とする磁石を備えた容器の構造。
【請求項３】
本考案の容器の形状はワイングラス、ロックグラス、タンブラー形状の酒類用グラスほか円筒形、円柱形、三角柱形、六角柱形、瓢箪形あるいは立体玩具で製造されることを特徴とする磁石を備えた容器の構造。
【請求項４】
本考案に採用の磁石の種類においては一般的な永久磁石のほか耐衝撃性に優れシート状、立体形状、球体及び任意の形状加工がし易いラバー磁石、等方性、異方性に優れたフェライト磁石、保持力が少ないアルニコス磁石、あるいは希土類磁石であり用途に応じた磁石で製造出来ることを特徴とする磁石を備えた容器の構造。
【請求項５】
容器（１）の底辺台（２）に埋設される磁石（３）の色の種類においては赤色、白色、青色、黒色、黄色、緑色、橙色、紫色でのいずれかの色で着色された磁石を選べ、さらには請求項２記載の三角柱ほかグラスの底辺形状に合わせた形状の磁石を顧客は選んで購入することが可能であることを特徴とする磁石を備えた構造。
【請求項６】
容器（５）の底辺台の外側（６）には容器（５）の底辺形状に応じた形状でなる着脱可能な接着剤（７）を備えた磁石（８）を設置、あるいは指先で磁石（８）を左右のどちらかにずらすことでも取り出せることを特徴とする磁石を備えた容器の構造。
【考案の詳細な説明】
【技術分野】
【０００１】  本考案は紙、ガラス、プラステイック、アクリル、塩ビ、ポリエチレン、スチール、アル、ＰＥＴ、鉄、合金、鉄、鋼、金属などを原材料として製造された円筒形、円柱形及び多角形でなるカップ容器、食品容器、ミニ水槽、生け花器、立体玩具、立体キャラクター玩具、立体鉛筆立て、飲料容器、立体形状菓子容器の底部に磁石を埋設あるいは接着してなる、特にそれらを机上に置いて利用する場合の地震の振動による転倒の防止に寄与する容器、透明容器、半透明容器、着色容器の構造に係わる。
【背景技術】
【０００２】  従来から、ステール製の勉強机や事務机上に置いた各種プラステイック製カップあるいはガラス容器、陶製花瓶などの液状用容器おいては突然の地震の揺れに転倒して水溶液がこぼれる実害が絶えなかった。
【考案の概要】
【考案が解決しようとする課題】
【０００３】  特に透明アクリルカップ、透明プラステイックカップ容器に水草や魚類を入れるといわゆる水族館のようなカップとなり、あるいは鉛筆立てとして利用するカップにおいても、さらに自分で沸かしたコーヒーも、お店から購入してきた容器入りコーヒーやジュースも、本考案の磁石付きカップ容器へ移しての飲用においては揺れに対して倒れにくい安全な容器となる。
【課題を解決するための手段】
【０００４】そこで本考案によれば上記容器の底部に磁石を埋設あるいは固着しすれば特にオフイス、家庭で一般的に使用されている鋼、合金、スチール製の机、木目板貼りのスチール製机の上に本考案を置いた使用すれば磁力の働きで強く固定されて転倒抑止効果が発生する。
【考案の効果】
【０００５】  本考案の磁石付きカップによれば、地震発生時において特に水、アイスクリーム、コーヒー、水容性飲料食品、あるいは鉛筆立てから玩具に至るまでの倒壊防止及びスリップ抑止効果に資することで商品保護及び破損防止、床への落下における畳、床や絨毯の汚損の心配も回避できる効果が発生する。特にプラステイックカップの鉛筆立てにおいてはカップの下部が磁力で固定されることによって例えば鉛筆のように上下の重心はほぼ同じでもハサミや工具ドライバーの場合は刃先を底にして置いて重心の重たい取っ手部分を上にして置いた場合は倒れ易く、また片手持ちタイプの小型のホチキスにおいてはハンドルあるいはクリンチャーアームのいずれかをカップの外側にはみ出して収容した場合も重心は当然上部になるのでカップは倒れやすい。ところが本考案の磁石の磁力による働きでカップ底部が机上に固着していることで倒れにくい状態が発生する。さらにカップが透明、半透明であれば文房具類ほか収容中の道具類全部が見えて早期視認にも便利である。また、カップに着色や模様が施されることで本考案容器のデザイン性としても有用である。
【考案を実施するための形態】
【０００６】  以下、本考案の構造で収納する磁石を埋め込んだ置物の構造をその実施の最良の形態について図面に示す実施例に基ずいて具体的に説明する。
【０００７】  図１は本考案の構造を示すものであり、容器１の底部２に磁石３を埋め込む（図１）。
【０００８】  図２は本考案をスチール製の机上に配置した実施例を示すものである（図２）。
【図面の簡単な説明】
【０００９】
【図１】本考案の磁石を埋設したカップの断面図である。
【図２】本考案の磁石を埋設したカップを机上に配置した正面図である。
【図３】本考案に着脱可能な接着剤付きの磁石を装着した容器の断面図である。
【符号の説明】
【００１０】１‥‥‥‥‥容器
２‥‥‥‥‥容器の底辺台
３‥‥‥‥‥磁石
４‥‥‥‥‥スチール製机
５‥‥‥‥‥三角柱容器
６‥‥‥‥‥三角柱容器底面の外壁
７‥‥‥‥‥三角形磁石表面に固着の接着剤
８‥‥‥‥‥接着剤を備えた三角形磁石
【図１】
0003189525.tif 000003
【図２】
0003189525.tif 000004
【図３】
0003189525.tif 000005
【手続補正書】
【提出日】平成26年1月6日(2014.1.6)
【手続補正１】
【補正対象書類名】実用新案登録請求の範囲
【補正対象項目名】全文
【補正方法】変更
【補正の内容】
【実用新案登録請求の範囲】
【請求項１】
容器の底辺台に磁石を埋設あるいは接着したことを特徴とする磁石を備えた容機の構造。
【請求項２】
前記容器の素材は、紙、瓶、金属、ガラス、アルミ、プラステイック、アクリル、塩ビ、ポリエチレン、ポリスチレン、ポリカーボネイド、スチール、ＰＥＴまたは合成樹脂であることを特徴とする請求項１に記載の磁石を備えた容器の構造。
【請求項３】
前期容器の形状は、ワイングラス、ロックグラス、タンブラー形状の酒類用グラス、円筒形、円柱形、三角柱形、六角柱形または瓢箪形であることを特徴とする請求項１に記載の磁石を備えた容器の構造。
【請求項４】
前記磁石は、永久磁石、ラバー磁石、フェライト磁石、アルニコス磁石または希土類磁石であることを特徴とする請求項１に記載の磁石を備えた容器の構造。
【請求項５】
前記磁石の色は、赤色，白色、青色、黒色、黄色、緑色、橙色、紫色のいずれかであり、さらに、前記磁石の形状は、前記の容器の底辺形状に合わせた形状であることを特徴とする請求項１に記載の磁石を備えた容器の構造。
【請求項６】
前期容器の底辺台の外側に、前記容器の底辺形状に応じた形状でなる着脱可能な接着剤を備え、磁石を設置したことを特徴とする請求項１に記載の磁石を備えた容器の構造。